(57)【要約】【課題】吊り戸のアシスト装置として引き戸用のクローザを用いることが可能な可動体のアシスト装置を提供する。【解決手段】実施形態にかかる可動体のアシスト装置は、支持体に設けられるレールと、前記支持体に相対的に移動する可動体に設けられる基体と、前記レールに沿って移動可能に支持されるとともに前記可動体を懸架する吊り具と、前記レールに設けられ前記可動体側に突出する当受体と、前記基体に対して第１方向に往復移動可能に設けられ、前記当受体と係合及び係合解除可能に構成された当接体と、前記当接体を付勢する付勢機構と、を備えることを特徴とする。【選択図】図１
2013217079.tif 000002
【特許請求の範囲】
【請求項１】
支持体に設けられるレールと、
前記支持体に相対的に移動する可動体に設けられる基体と、
前記レールに沿って移動可能に支持されるとともに前記可動体を懸架する吊り具と、
前記レールに設けられ前記可動体側に突出する当受体と、
前記基体に対して第１方向に往復移動可能に設けられ、前記当受体と係合及び係合解除可能に構成された当接体と、
前記当接体を付勢する付勢機構と、
を備えることを特徴とする可動体のアシスト装置。
【請求項２】
前記可動体は吊り戸であって、前記支持体に設置された前記レールの下方に懸架され、
前記基体は前記吊り戸の上部に埋設され、
前記当受体は、前記レールから下方に突出して、前記当接体の通過経路に至るように構成されたことを特徴とする請求項１記載の可動体のアシスト装置。
【請求項３】
前記吊り具は、前記可動体に設けられる基台と、前記基台に軸支されて前記レール内を回転可能に移動する吊りローラと、を備え、
前記レールは、前記支持体から下方に立設される立壁部と、前記立壁部に連続して前記吊りローラを前記可動体側から支持する支持面部と、を一体に備え、
前記当受体は前記支持面部から前記可動体側に突出することを特徴とする請求項１または２記載の可動体のアシスト装置。
【請求項４】
一対の前記吊りローラが配置され、
前記支持面部は、前記立壁部の一対の前記吊りローラよりも前記可動体側から前記第１方向と交差する第２方向の両側に延出形成され、
前記基台は前記可動体から前記支持体側に延びるとともに前記立壁部の前記第２方向両側を挟むように配置される一対のサポート部を有し、
一対の前記サポート部には、前記第２方向に沿う軸を中心として回転可能に一対の前記吊りローラが軸支され、
一対の前記吊りローラが前記立壁部を挟むように両側に配置されることを特徴とする請求項３記載の可動体のアシスト装置。
【請求項５】
一対の前記吊りローラが配置され、
前記レールは、前記吊りローラの両側を挟む一対の立壁部と、前記立壁部に連続して一対の前記吊りローラよりも下方から前記第２方向内側に延出形成されて前記吊りローラを下側から支持する一対の支持面部と、前記支持面部の内側に設けられ前記吊りローラの脱落を防止する防止部と、有し、
前記基台は前記可動体から前記支持体に向かって延び、一対の前記立壁部間に至るサポート部を有し、
一対の前記吊りローラが前記サポート部の前記第２方向両側に軸支され、
一対の前記吊りローラが一対の前記立壁部間に配置されることを特徴とする請求項３記載の可動体のアシスト装置。
【請求項６】
支持体に設けられるレールと、
前記支持体に相対的に移動する可動体に設けられる基体と、
前記レールに沿って移動可能に支持されるとともに前記可動体を懸架する吊り具と、
前記支持体側に設けられ前記可動体側に突出し前記レールの前記可動体側に至る当受体と、
前記基体に対して第１方向に往復移動可能であって前記当受体と係合及び係合解除可能に構成された当接体と、
前記当接体を付勢する付勢機構と、
を備えることを特徴とする可動体のアシスト装置。
【請求項７】
支持体に設けられるレールと、
前記支持体に相対的に移動する可動体に設けられ前記支持体側に突出する当受体と、
前記レールに沿って移動可能に支持されるとともに前記可動体を懸架する吊り具と、
前記レールに設けられる基体と、
前記基体に対して第１方向に往復移動可能に設けられ、前記当受体と係合及び係合解除可能に構成された当接体と、
前記当接体を付勢する付勢機構と、
を備え、
前記当受体は前記当接体が相対的に移動する移動経路に至ることを特徴とする可動体のアシスト装置。
【請求項８】
前記可動体には少なくとも一対の前記吊り具が設けられることを特徴とする請求項１乃至７のいずれか記載の可動体のアシスト装置。
【請求項９】
前記当受体の前記可動体側の端部は、前記可動体の、前記第１方向と交差する第２方向における中央部分に配置されることを特徴とする請求項1乃至８のいずれか記載の可動体のアシスト装置。
【請求項１０】
前記付勢機構は、その一端が前記当接体に連結され、その他端が前記基体に連結された引張コイルばねを有し、その引っ張り力により前記当受体を捕捉した前記当接体を引き込み方向に移動させることにより前記可動体を前記支持体に対して強制移動させることを特徴とする請求項１乃至９のいずれか記載の可動体のアシスト装置。
【請求項１１】
前記当接体は、待機位置と引き込み位置の間でスライド可能に前記基体に支持されるとともに、前記当受体と係合及び係合解除可能なキャッチャを備え、
前記キャッチャは、前記係合解除状態において前記基体の待機位置に保持され、前記当受体を捕捉した係合状態になると前記保持が解除されて前記付勢機構によりスライド移動可能に構成されたことを特徴とする請求項１乃至１０のいずれかに記載の可動体のアシスト装置。
【発明の詳細な説明】
【技術分野】
【０００１】
本発明は、各種の可動体の動作を補助する可動体のアシスト装置に関する。
【背景技術】
【０００２】
吊り戸等の可動体の動作を補助するため、付勢機構を用いて自走移動をさせる可動体のアシスト装置が知られている。このような可動体のアシスト装置では、鴨居に取り付けられたレールに、吊り車を介して可動体が走行可能に吊下支持されるとともに、レール内に当受体としてのストライカが設けられ、レール内に走行可能にクローザが設けられている。
【０００３】
クローザのハウジング内には当受体に係合可能な当接体が設けられている。当接体はハウジング内において待機位置と引き込み位置でスライド移動可能であり、付勢機構としての引張りコイルばねに連結されている。当接体は例えば先端に係合部を有し、この係合部が当受体と係合及び係合解除可能になっている。一般に、ハウジングの一端がレール内において吊り車に固定され、吊り車及びクローザがレール内において移動可能に係合している。
【先行技術文献】
【特許文献】
【０００４】
【特許文献１】特許第４６９００２６号公報
【発明の概要】
【発明が解決しようとする課題】
【０００５】
当接体とクローザをレール内に配置し、クローザがレール内をスライド移動する構造では、吊り戸のアシスト装置として引き戸用のクローザを用いることが困難である。
【課題を解決するための手段】
【０００６】
実施形態にかかる可動体のアシスト装置は、支持体に設けられるレールと、前記支持体に相対的に移動する可動体に設けられる基体と、前記レールに沿って移動可能に支持されるとともに前記可動体を懸架する吊り具と、前記レールに設けられ前記可動体側に突出する当受体と、前記基体に対して第１方向に往復移動可能に設けられ、前記当受体と係合及び係合解除可能に構成された当接体と、前記当接体を付勢する付勢機構と、を備えることを特徴とする。
【０００７】
他の実施形態にかかる可動体のアシスト装置は、支持体に設けられるレールと、前記支持体に相対的に移動する可動体に設けられる基体と、前記レールに沿って移動可能に支持されるとともに前記可動体を懸架する吊り具と、前記支持体側に設けられ前記可動体側に突出し前記レールの可動体側に至る当受体と、前記基体に対して第１方向に往復移動可能であって前記当受体と係合及び係合解除可能に構成された当接体と、前記当接体を付勢する付勢機構と、を備えることを特徴とする。
【発明の効果】
【０００８】
一実施形態によれば、吊り戸のアシスト装置として引き戸用のクローザを用いることが可能となる。
【図面の簡単な説明】
【０００９】
【図１】本発明の第１実施形態にかかるアシスト装置の第１状態を示す説明図。
【図２】同実施形態にかかるアシスト装置の構造の第２状態を示す説明図。
【図３】同実施形態にかかるアシスト装置の一部を示す断面図。
【図４】同実施形態にかかるアシスト装置の一部を示す斜視図。
【図５】他の実施形態にかかるアシスト装置の一部を示す断面図。
【図６】他の実施形態にかかるアシスト装置の一部を示す断面図。
【図７】他の実施形態にかかるアシスト装置の一部を示す断面図。
【図８】他の実施形態にかかるアシスト装置の一部を示す断面図。
【図９】他の実施形態にかかるアシスト装置の一部を示す断面図。
【図１０】他の実施形態にかかるアシスト装置の一部を示す断面図。
【図１１】他の実施形態にかかるアシスト装置の一部を示す断面図。
【図１２】他の実施形態にかかるアシスト装置の一部を示す断面図。
【発明を実施するための形態】
【００１０】
[第１実施形態]
以下、本発明の第１実施形態かかる可動体のアシスト装置１について、図１乃至図４を参照して説明する。ここでは例えばＸ軸はスライド方向（第１方向）に、Ｙ軸は第２方向に、Ｚ軸は上下方向に、それぞれ沿っている。また、各図において説明のため、適宜構成を拡大、縮小または省略して示している。
【００１１】
図１はアシスト装置１の第１状態を示す説明図、図２は第２状態を示す説明図である。図３はアシスト装置１の一部を示す断面図であり、図４は斜視図である。
【００１２】
図１及び図２に示すように、アシスト装置１は、可動体及び支持体のうち一方に設けられる当受体としてのストライカ１１と、可動体及び支持体のうち他方に設けられるクローザ１２と、を備えて構成される。
【００１３】
本実施形態において、例えば支持体は鴨居Ｗに設置されたレール１０であり、可動体は吊り戸Ｍとした。本実施形態では可動体としての吊り戸Ｍにクローザ１２が設けられ、支持体としてのレール１０にストライカ１１が設けられる場合について例示する。
【００１４】
なお、ここでは一枚の吊り戸Ｍに着目し、一方側が戸先側、他方側が戸尻側とする。図１に示すように吊り戸Ｍが戸枠から離れた開状態を第１状態、図２に示すように移動終了位置に移動されきった閉状態を第２状態とする。
【００１５】
図１乃至図４に示すレール１０は、鴨居Ｗの下面にスライド方向に沿って固定されている。レール１０は、例えばアルミ製の押し出し成形品で構成され、鴨居Ｗの下面に固定される上面部１０ａと、下方に立設される立壁部１０ｂと、立壁部１０ｂの下端に連続してＹ方向両側に延び、吊りローラ２２を下側から支持する支持面部１０ｃとを一体に有して構成されている。
【００１６】
レール１０の立壁部１０ｂはＹ方向中央部分においてスライド方向に沿うＸＺ平面を成し、Ｙ方向における両側に吊りローラ２２が配置される収容部が形成されている。一対の吊り車２０（吊り具）が走行可能に配置されている。吊り車２０は吊り戸ＭのＸ方向両端に設けられ、吊り戸ＭのＸ方向両端部をそれぞれ懸架している。各図においては一方側の吊り車２０のみ図示している。
【００１７】
支持面部１０ｃは、サポート部２４ｂ間において一対の吊りローラ２２の下方でローラ２２の回転軸方向（Ｙ方向）両側に延出形成されている。支持面部１０ｃは、断面円弧状に構成され、支持面部１０ｃのＹ方向両側が上方に位置してローラ２２の脱落を防止する脱落防止部１０ｄを構成している。
【００１８】
吊り戸用レール１０の支持面部１０ｃの下面には、端から一定の位置にストライカ１１が設けられている。ストライカ１１は下方に突出する円柱状の係合部１１ａを有して構成されている。係合部１１ａはレール１０の下面よりも下方に突出している。
【００１９】
吊り戸Ｍの移動により、係合部１１ａがキャッチャ３２に捕捉されることによりラッチ３０係合してクローザ１２内に入り込み、あるいはクローザ１２から出て解放されるようになっている。
【００２０】
吊り車２０は、吊り戸Ｍ上に埋設固定される固定具Ｍ１に固定された基台２１（基部）と、基台２１に回転可能に軸支される複数のローラ２２と、を備えて構成されている。
【００２１】
図３及び図４に示すように、基台２１は固定具Ｍ１に設けられ上方に延びる柱状のロッド２３と、ロッド２３に固定される支持片２４と、支持片２４に支持される軸体２５と、を備えて構成されている。
【００２２】
支持片２４は例えば金属板が曲成されてなり、ロッド２３上に固定される下板部２４ａと、下板部２４ａのＹ方向両端から上方に立設される一対のサポート部２４ｂと、を連続して一体に有するとともに、上側が開口する開口部を有して構成される。
【００２３】
一対のサポート部２４ｂは、レール１０の立壁部１０ｂの軸方向両側を挟むように配置され、対向配置される一対のサポート部２４ｂに内側にＹ方向に延びる軸体２５が支持され、軸体２５に回転可能に一対の吊りローラ２２が軸支されている。
【００２４】
Ｙ方向の一対のローラ２２，２２間には所定の隙間が形成され、この間に立壁部１０ｂが配置されている。
【００２５】
図１及び図２に示すクローザ１２は、吊り戸Ｍに形成された溝部Ｍａ内に埋設固定された基体としてのハウジング４０と、ハウジング４０内に収められ第１方向に沿って待機位置と引込位置とにわたって往復移動可能に支持された当接体としてのラッチ３０と、ラッチ３０をハウジング４０に対して引き込み側に付勢するコイルばねなどの付勢機構５０と、ラッチ３０に連結されラッチ３０のスライド移動に抵抗力を付与して緩衝する制動機構６０と、を備えている。
【００２６】
ハウジング４０は、上面開口でスライド方向に細長い箱状を成している。ハウジング４０は、一対の側壁４１、４１を有し、前端部分の側壁の間にラッチ３０が保持される。
【００２７】
ハウジング４０の側壁４１には、待機状態においてラッチ３０の係合突起３４（係合部）が係合保持される保持孔４２が形成されている。さらにハウジング４０の内側には、ラッチベース３１の移動を案内するガイドスリットがＸ方向に沿って形成されている。
【００２８】
ハウジング４０の後端部には付勢手段としての引張りコイルばね５１の後端部５１ｂが連結されている。
【００２９】
ラッチ３０は、ハウジング４０内において第１方向に往復移動するラッチベース３１と、ラッチベース３１の前端に連結されるキャッチャ３２と、を有している。
【００３０】
ラッチベース３１は、ハウジング４０の上部に収められ、ガイドスリットの案内によってスライド方向に移動する。ラッチベース３１の下部には引っ張りコイルばね５１の前端部５１ａが連結され、常時引き込み方向に付勢されている。
【００３１】
さらにラッチベース３１の後端面にはピストンダンパ６０が接続され、ラッチベース３１の移動が制動されるようになっている。
【００３２】
キャッチャ３２は、ヒンジ部３３を介してラッチベース３１に連結され互いに接離するように回動可能に設けられた一対のキャッチ片３２ａ、３２ａを有している。キャッチ片３２ａ，３２ａのＹ方向外面にはハウジング４０の保持部４２に保持される係合突起３４が形成されている。
【００３３】
キャッチャ３２はラッチベース３１とともにガイドスリットに案内されて待機位置と引き込み位置間を往復移動するとともに、待機位置において一対のキャッチ片３２ａ，３２ａがヒンジ部３３のＺ方向に沿う軸心を中心に回動することで、互いに接離するように開閉する。キャッチャ３２はこの開閉に伴って待機位置においてストライカ１１と係合し、あるいはストライカを解放する。
【００３４】
付勢機構５０は例えば引張コイルばね５１で構成されている。引張コイルばね５１は、ハウジング４０内下部において、軸方向がスライド方向に沿うように配置されている。引張コイルばね５１の一端５１ａはラッチベース３１に連結され、引張コイルばね５１の他端５１ｂは、ハウジング４０に連結される。
【００３５】
この引張コイルばね５１は、可動体Ｍを一方（前方）に移動させる際に、ストライカ１１を捕捉したラッチ３０をハウジング４０に対して相対的に他方側（後方）に引っ張ることで、吊り戸Ｍをレール１０及び鴨居Ｗに対して前方に強制移動させる。
【００３６】
制動機構６０は、ハウジング４０の上部室内に設けられたピストンダンパ６０で構成される。ピストンダンパ６０は、内部に流体が封入されたシリンダ６１と、シリンダ６１内でラッチ３０の移動中心線上を往復動するピストン（図示せず）と、このピストンに連結されたピストンロッド６２と、を有している。ピストンロッド６２の後端部はハウジング４０に連結され、シリンダ６１の前端端部はラッチベース３１の後端面に連結されている。制動機構６０は、シリンダ６１に対するピストンロッド６２の押し込み及び引っ張り動作に対してシリンダ６１内の流体の抵抗力を付与して、吊り戸Ｍの動作を制動する。
【００３７】
可動体のアシスト装置１の動作について図１、図２を参照して説明する。吊り戸Ｍが自走開始位置に往動される前の段階では、図１に示すように、キャッチャ３２は開状態にあって、係合部３４が保持部４２に係合することによりキャッチャ３２がハウジング４０前方の待機位置に保持され、ストライカ１１を解放した状態となっている。
【００３８】
吊り戸ＭがＸ方向に移動して自走開始位置まで往動されると、ストライカ１１がハウジング４０に前方から入り込み、ストライカ１１に押されてキャッチ片３２ａ，３２ａがヒンジ軸３３を中心に回動してキャッチャ３２が閉状態となり、ストライカ１１を補足する。このとき、キャッチャ３２の係合突起３４が保持部４２から抜け出て、ハウジング４０に対してスライド可能な状態となる。
【００３９】
そして引っ張りコイルばね５１の付勢によりラッチ３０がストライカ１１を捕捉した状態でハウジング４０後方の引き込み位置に移動する。この相対移動に伴って吊り戸Ｍがストライカ１１に対して前方に停止位置にまで自走する
一方、停止位置からの吊り戸Ｍの復動の際には、可動体Ｍを移動させるとストライカ１１と一体化されているラッチ３０は引張りコイルばね５１に蓄勢させながらハウジング４０に対して相対的に前方に移動され、可動体Ｍが自走開始位置に至った段階でキャッチ片３２ａが回動してキャッチャ３２が開くとともに、ハウジング４０の保持部４２入り込み、保持される。これにより、キャッチャ３２は解放状態に復帰されラッチ３０とストライカ１１とは分離される。その後吊り戸Ｍの移動規制が解除される。
【００４０】
本実施形態にかかる可動体のアシスト装置１によれば、以下のような効果を奏する。すなわち、可動体のアシスト装置１ではストライカ１１がレール１０の下方の吊り戸側に突出して構成され、レール１０下方の吊り戸Ｍに埋め込まれたラッチ３０と係合可能な位置に配置されているため、引き戸用のクローザ１２を適用することが可能となる。したがって、レール１０を有していない鴨居等の支持体を使用する引き戸にも採用できるので、汎用性も高い。
【００４１】
クローザがレール内をスライドする構造に比べて寸法的制限を少なくすることができる。さらに、レール内を移動する可動ストライカやストッパを備える構造に比べて部品点数が少なくでき、機構も単純化できる。
【００４２】
なお、本発明は前記実施の形態に限定されるものではなく、本発明の要旨を逸脱しない範囲で種々変形実施可能である。また、各部の具体的構成や材質等は上記実施形態に例示したものに限られるものではなく適宜変更可能である。
【００４３】
上記第１実施形態ではＹ方向に対向する一対の吊りローラ２２をレール１０の立壁部１０ｂの両側に形成された一対の支持面部１０ｃ上に配置する構成を例示したが、これに限られるものではない。例えば他の実施形態として図５に示す可動体のアシスト装置２のように、吊りローラ２２、支持面部１０ｃをそれぞれ片側のみに配置する構成としてもよい。ここで、ストライカ１１は支持面部１０ｃから下方に突出して設けられている。この場合にも上記第１実施形態と同様の効果が得られる。
【００４４】
また、上記第１実施形態ではＹ方向に対向する一対の吊りローラ２２をＹ方向に挟むように配置される一対のサポート部２４ｂで支持し、一対の吊りローラ２２の間にレール１０の立壁部１０ｂを配置する構造を例示したが、これに限られるものではない。
【００４５】
例えば他の実施形態として図６に示す可動体のアシスト装置３のように、レール１０を断面コ字状で下方に開口する形状として、一対の立壁部１０ｂを形成するとともに、一対の立壁部１０ｂ間に吊りローラの両側を挟む構造としてもよい。
【００４６】
この実施形態では、レール１０は、吊りローラ２２の両側を挟む一対の立壁部１０ｂと、立壁部１０ｂに連続して一対の吊りローラ２２よりも下方からＹ方向内側に延出形成されて吊りローラ２２を下側から支持する一対の支持面部１０ｃと、を連続して一体に有している。支持面部１０ｃは、断面円弧状に構成され、内側端部が上方に位置してローラ２２の脱落を防止する脱落防止部１０ｄを構成している。
【００４７】
基台２１は吊り戸Ｍから上方に延び、一対の立壁部１０ｂ間に至るサポート部２４ｂを有している。ここでは一対の吊りローラ２２がサポート部２４ｂの軸方向両側に軸支され、一対の立壁部１０ｂ間に配置されるようになっている。ここで、ストライカ１１は一方の支持面部１０ｃから下方に突出して設けられている。
【００４８】
この実施形態においても上記第１実施形態と同様の効果が得られる。さらに、レール１０の構造として一般的に吊り戸に用いられる下方開口のレール１０を適用できる。
【００４９】
さらに他の実施形態として図７に示す可動体のアシスト装置４では、一対の立壁部１０ｂ間において、一方側に偏った位置にサポート部２４ｂを配置することにより、ストライカ１１が吊り戸ＭのＹ方向中央に配置されるように構成し、この他の構成については図６に示されるアシスト装置４と同様に構成した。
【００５０】
この実施形態においても上記第１実施形態と同様の効果が得られる。さらに、レール１０の構造として一般的に吊り戸に用いられる下方開口のレール１０を適用できるとともに、吊り戸Ｍの中央に配置することができるので安定性を向上できる。
【００５１】
上記第１実施形態ではレール１０を押し出し成形部材としたが、これに代えて例えば図８に示す可動体のアシスト装置５のように、曲げ変形させた複数の金属板材を用いてレール１０を構成してもよい。ここでは、例えば平板状の部材で上面部１０ａを構成し、断面Ｊ字状に湾曲された湾曲部材で立壁部１０ｂと支持面部１０ｃを連続形成し、これら複数の部材を接合してレール１０を構成した。この場合にも上記第１実施形態と同様の効果が得られる。
【００５２】
さらに他の実施形態として図９に示す可動体のアシスト装置６では、レール１０の支持面部１０ｃが一対の立壁部１０ｂの下端から内側に延びるように構成され、一対の立壁部１０ｂ間において支持片２４が配置され、一対のサポート部２４ｂの外側に一対の吊りローラ２２が配置される構成とした。この他の構成についてはアシスト装置１と同様に構成した。この場合にも上記第１実施形態と同様の効果が得られる。
【００５３】
さらに他の実施形態として図１０に示す可動体のアシスト装置７では、アシスト装置６において立壁部１０ｂ、サポート部２４ｂ、吊りローラ２２を片側のみに設ける構成とした。この他の構成については図６に示されるアシスト装置６と同様に構成した。この場合にも上記第１実施形態と同様の効果が得られる。
【００５４】
上記各実施形態では、レール１０にストライカ１１を設ける構成を例示したが、これに限られるものではない。例えば他の実施形態として図１１に示す可動体のアシスト装置８のように、支持体としての鴨居Ｗに、可動体としての吊り戸Ｍ側に突出するストライカ１１１を設ける構成としてもよい。ストライカ１１１の係合部１１１ａは下方に突出して、レール１０よりも下方の、ラッチ３０の通過経路に至るように構成されている。
【００５５】
この実施形態においても上記第１実施形態と同様の効果が得られる。すなわち、ストライカ１１１がレール１０の下方の吊り戸側に突出して構成され、レール１０下方の吊り戸Ｍに埋め込まれたラッチ３０と係合可能な位置に配置されているため、引き戸用のクローザ１２を適用することが可能となる。したがって、レールを有していない鴨居等の支持体を使用する引き戸にも採用できるので、汎用性も高い。さらに、本実施形態ではストライカ１１１を下方に延ばすだけの単純な機構であて、既存のレールの構造を適用することができる。
【００５６】
上記第１実施形態では、ハウジング４０の一方側のみにラッチ３０が設けられ、一方向のアシスト動作を行う場合を例示したが、これに限られるものではない。例えばハウジング４０の両端にラッチ３０を設けるとともにレール１０の左右両側にストライカ１１をそれぞれ設けることにより、戸先側及び戸尻側の両方向の動作をアシストする構成としてもよい。この場合には例えば引張コイルばね５１の両端をそれぞれ両側のラッチベース３１に連結するとともに、ピストンダンパ６０のシリンダ６１とピストンロッド６２の端部をそれぞれ両側のラッチベース３１にそれぞれ連結することにより、両側のラッチ３０の補助及び制動に共通の機構を利用することができる。
【００５７】
また、キャッチャ３２は、開閉する一対のキャッチ片３２ａ，３２ａの間に柱状のストライカ１１を挟持する構成を例示したがこれに限られるものではなく、例えば回動により係合して捕捉するフック形状のキャッチャなど、他の構成を用いてもよい。
【００５８】
例えば上記実施形態においては、可動体としての吊り戸Ｍ側にクローザ１２を備え、支持体としての鴨居側にレール１０やストライカ１１を設けた場合について例示したが、これに限られるものではない。他の実施形態として図１２に示す可動体のアシスト装置９のように、可動体としての吊り戸Ｍ側にストライカ１１を、支持体としての鴨居Ｗ側にクローザ１２を、それぞれ設けることも可能である。
【００５９】
アシスト装置９では、第１実施形態にかかるアシスト装置１のクローザ１２とストライカ１１を逆に配置しており、鴨居Ｗに設けられたレール１０にクローザ１２が配置され、吊り戸Ｍ側にストライカ１１が設けられている。
【００６０】
レール１０は鴨居Ｗから下方に延びるとともに互いに離間する一対の立壁部１０ｂを有して構成されている。
【００６１】
吊り具２０は吊り戸Ｍの上部に固定されて上方に延びる一対のサポート部２４ｂを有する支持片２４と、一対のサポート部２４ｂの内側に軸支される一対の吊りローラ２２と、を有して構成されている。吊りローラ２２間にレール１０の立壁部１０ｂが配置されている。
【００６２】
ストライカ１１は、吊り戸Ｍの上部から上方の鴨居Ｗ側に突出し、レール１０内に固定されたクローザ１２のラッチ３０が相対的に移動する通過経路に至るように配置され、ラッチ３０と係合可能になっている。ここではストライカ１１の上端部分がレール１０の一対の立壁部１０ｂの間に至って配置されている。ストライカ１１は、吊り戸Ｍの移動に伴ってレール１０に対してスライド方向に相対移動して一対のキャッチ片３２ａ間に捕捉される。
【００６３】
クローザ１２は一対の立壁部１０ｂ間にハウジング４０が固定配置され、下向きのラッチ３０が移動可能に収められている。ラッチ３０の先端のキャッチャ３２がストライカ１１と係合及び係合解除可能に構成されている。
【００６４】
この他の構成は第１実施形態と同様に構成されている。本実施形態にかかるアシスト装置９においても、上記各実施形態と同様の効果が得られる。すなわち、レール１０を有していない支持体を使用する引き戸にも採用できるクローザ１２を兼用でき、汎用性が高い。またクローザがレール内をスライドする構造に比べて寸法的制限を少なくすることができる。さらに、レール内を移動する可動ストライカやストッパを備える構造に比べて部品点数が少なくでき、機構も単純化できる。
【００６５】
さらに、上記実施形態の構成要件のうち一部を省略しても本発明を実現可能である。
【符号の説明】
【００６６】
Ｗ…鴨居（支持体）、Ｍ…吊り戸（可動体）、Ｃ１…軸心、１〜６…アシスト装置、１０…レール、１０ａ…上面部、１０ｂ…立壁部、１０ｃ…支持面部、１１、１１１…ストライカ、１１ａ、１１１ａ…係合部、１２…クローザ、２０…吊り車（吊り具）、２１…基台（基部）、２２…吊りローラ、２３…ロッド、２４…支持片、２４ａ…下板部、２４ｂ…、サポート部、２５…軸体、３０…ラッチ、３１…ラッチベース、３２…キャッチャ、３２ａ，３２ａ…キャッチ片、４０…ハウジング、４１…側壁、４２…保持部、５０…付勢機構、６０…制動機構（ピストンダンパ）、６１…シリンダ、６２…ピストンロッド。
【図１】
2013217079.tif 000003
【図２】
2013217079.tif 000004
【図３】
2013217079.tif 000005
【図４】
2013217079.tif 000006
【図５】
2013217079.tif 000007
【図６】
2013217079.tif 000008
【図７】
2013217079.tif 000009
【図８】
2013217079.tif 000010
【図９】
2013217079.tif 000011
【図１０】
2013217079.tif 000012
【図１１】
2013217079.tif 000013
【図１２】
2013217079.tif 000014